(57)【要約】【課題】従来の害獣害虫等の生物捕獲装置は、トンネル状のものでも大きさや、長さを容易に変えられる形式の装置がなかったため、それぞれの場所に適応した適切な大きさや長さにすることが難しかった。【解決手段】両端部に開口部１０、１０を有し、底面に害獣害虫等の生物を捕獲可能な粘着剤部３を設けたトンネル本体１と、トンネル本体１の両端部と摺動可能に設けられ両端部が開口するとともにトンネル本体１とは反対側の端部を出入口２０としている２つのアプローチトンネル２とからなり、それぞれのアプローチトンネル２をトンネル本体１から引き出すことによってトンネル全体の長さを調整することが可能である害獣害虫等の生物捕獲装置によって解決する。【選択図】  図５
2010057369.tif 000002
【特許請求の範囲】
【請求項１】
両端部に開口部を有し、底面に害獣害虫等の生物を捕獲可能な粘着剤部を設けたトンネル本体と、トンネル本体の両端部と摺動可能に設けられ両端部が開口するとともにトンネル本体とは反対側の端部を出入口としている２つのアプローチトンネルとからなり、それぞれのアプローチトンネルをトンネル本体から引き出すことによってトンネル全体の長さを調整することが可能であることを特徴とする害獣害虫等の生物捕獲装置。
【請求項２】
トンネル本体及び２つのアプローチトンネルが四角筒状体で形成される請求項１に記載された害獣害虫等の生物捕獲装置。
【請求項３】
トンネル本体の両端部の上下面と、２つのアプローチトンネルのトンネル本体側端部の上下面とに互いに係止する係止部を有する請求項１又は請求項２に記載された害獣害虫等の生物捕獲装置。
【発明の詳細な説明】
【技術分野】
【０００１】
この発明は、ネズミの他、ゴキブリ等の床面をはい回る小ほ乳類や昆虫で食品を食害したり、疫病を媒介したりする可能性のある害獣害虫等の生物を捕獲して駆除する害獣害虫等の生物捕獲装置に関する。特に家庭のダイニングキッチンや、食品販売店、料理屋等の食品を多量に保管する室内において、ネズミ、ゴキブリ等を捕獲して駆除する害獣害虫等の生物捕獲装置に関する。
【背景技術】
【０００２】
害獣害虫等の生物捕獲装置として、従来からハウス状、トンネル状の箱体の底面に粘着剤を置いて、粘着剤の上に誘引材を含浸させた誘引物を置いて粘着剤で捕獲する装置は、様々な形態のものが知られている。
【０００３】
例えばゴキブリ捕獲器として特開平１０−１６５０６９号公報（従来技術１）に「少なくとも底部を備えた捕獲器本体からなり、当該底部の上面に粘着部を有するゴキブリ捕獲器であって、前記粘着部に複数の突条が配列され、かつ前記突条の少なくとも一部が水平方向に曲げられてなることを特徴とするゴキブリ捕獲器」が開示されている。
【０００４】
更に、特開２００６−３２５４７２号公報（従来技術２）には「底壁と側壁と天壁とから捕獲器本体が構成され、前記側壁を折り曲げて、捕獲器本体を平坦に折り畳んで保管状態とし、前記側壁を伸ばして、捕獲器本体を立体に組立てて使用状態とするゴキブリ捕獲器であって、前記底壁の上面に、ゴキブリ捕獲用の粘着剤層を形成し、前記天壁の下面に、前記粘着剤層保護用の剥離紙を接着しており、前記剥離紙の前記天壁に対する接着力を、前記粘着剤層への粘着力よりも強くしていることを特徴とするゴキブリ捕獲器。」が開示されている。
【特許文献１】特開平１０−１６５０６９号公報
【特許文献２】特開２００６−３２５４７２号公報
【発明の開示】
【発明が解決しようとする課題】
【０００５】
しかしながら、従来技術にあるような組立ハウス形の害獣害虫等の生物捕獲装置は、トンネル状のものではないが、その大きさや、長さを容易に変えられる形式の装置ではないため、それぞれの使用する場所に適応した適切な大きさや長さにすることが難しかった。
【０００６】
特にやや暗いところを好み壁面を頼って動くネズミやゴキブリは、トンネルが長い方が入り易い特性を有するため、成るべく長いトンネルの方が効果は高いのであるが、長いトンネルであるとトンネルが潰れやすい等、運搬時の製品の扱いに困難性が高くなるとともに、保管時には場所を取りすぎる等のマイナス点となる課題があった。
【課題を解決するための手段】
【０００７】
上記課題を解決するため、両端部に開口部を有し、底面に害獣害虫等の生物を捕獲可能な粘着剤部を設けたトンネル本体と、トンネル本体の両端部と摺動可能に設けられ両端部が開口するとともにトンネル本体とは反対側の端部を出入口としている２つのアプローチトンネルとからなり、それぞれのアプローチトンネルをトンネル本体から引き出すことによってトンネル全体の長さを調整することが可能であることを特徴とする害獣害虫等の生物捕獲装置を提案する。
【０００８】
また、トンネル本体と２つのアプローチトンネルが四角筒状体で形成される０００７欄に記載された害獣害虫等の生物捕獲装置を提案する。
【０００９】
更に、トンネル本体の両端部の上下面と、２つのアプローチトンネルのトンネル本体側端部の上下面とに互いに係止する係止部を有する０００７欄又０００８欄に記載された害獣害虫等の生物捕獲装置を提案する。
【発明の効果】
【００１０】
この発明によれば、トンネル本体の両端部と摺動可能に設けられる２つのアプローチトンネルを設けることによって、トンネル全体の長さを調整することが可能である。例えば保管、運搬時には２つのアプローチトンネルをトンネル本体と重ね合わせることによって、トンネル全体の長さを最短にするとともに二重になるのでトンネルの強度が強化される効果があるとともに、保管、運搬をすることができるため場所を取ることが少なく、使用時には２つのアプローチトンネルを引き出してトンネル本体の両端部に係止することによってトンネル全体の長さを長くしてネズミやゴキブリが入りやすい状況を作ることができる。
【００１１】
更に、トンネル全体の長さはアプローチトンネルの引き出しの長さを適宜調整することができるため、その置き場所に合わせた長さとして使用することができる。
【発明を実施するための最良の形態】
【００１２】
この発明の１つの実施形態であるを示す害獣害虫等の生物捕獲装置の平面図でありアプローチトンネルをトンネル本体に重ね合わせた状態の平面を示す図１、同じく正面を示す図２、同じく側面を示す図３、同じくトンネル本体から両側のアプローチトンネルを引き出してトンネルを長くした状態の平面を示す図４、図４から入り口の上部角部を折り返した状態の平面を示す図５、同じく図５の正面を示す図６、同じく図５の側面を示す図７、アプローチトンネルとトンネル本体との係止状態を示す拡大部分説明図である図８に基づいて説明する。
【００１３】
この発明の１つの実施形態を示す害獣害虫等の生物捕獲装置は、両端部に開口部１０、１０を有し、底面に害獣害虫等の生物を捕獲する粘着剤部３を設け、粘着剤部３の中央部付近に合成樹脂性誘引物であるスペーサー４を設けたトンネル本体１と、トンネル本体１の両端部と摺動可能に設けられ両端部が開口するとともにトンネル本体１とは反対側の端部を出入口２０としている２つのアプローチトンネル２、２とからなる。粘着剤部３は、トンネル本体１の底面全体に設けられている。
【００１４】
トンネル本体１及び２つのアプローチトンネル２、２は、四角筒状体で形成されるが、屋根部は曲面状のドーム形状でもよい。トンネル本体１及び２つのアプローチトンネル２、２は厚紙からなるが、他の実施形態では、硬質合成樹脂、木製等でもよい。また、粘着剤部３の粘着剤はポリブデン、ゴムからなるが、ネズミ、ゴキブリ等を粘着可能な素材であればよい。
【００１５】
この実施形態では、トンネル本体１が内側、アプローチトンネル２、２が外側に設けられて互いに摺動してトンネル全体の長さを調整できるので、トンネル本体１の底面に設けられた粘着剤部３は、摺動によっても他部分に接触することはない。
【００１６】
トンネル本体１は、左右両側面の両端部をそれぞれ外方への折り返しを形成して本体係止部１１としている。同様に２つのアプローチトンネル２、２は、トンネル本体側端側の左右両側面の両端部をそれぞれ内方への折り返しを形成してアプローチ係止部２１としている。この本体係止部１１とアプローチ係止部２１、２１は、トンネル本体１とアプローチトンネル２、２が互いに端部まで摺動され、トンネル全体の長さが最長になったときに、本体係止部１１とアプローチ係止部２１が係止するため、それ以上摺動できず止まるので、トンネル本体１と、２つのアプローチトンネル２、２は外れることはない。
【００１７】
この実施形態では本体係止部１１とアプローチ係止部２１は、トンネル本体１の両側面、アプローチトンネル２，２の両側面に形成されるが、他の実施形態では上面及び下面に形成してもよい。その場合、トンネル本体１は、その両端部の上面に上方への折り返し、下面に下方への折り返しをそれぞれ形成して係止部１１とし、２つのアプローチトンネル２、２は、トンネル本体側端部の上面に下方への折り返し、下面に上方への折り返しを形成して係止部２１とする。作用はこの実施形態と同じである。
【００１８】
また、トンネル全体の長さを短くする場合は、互いに近づくように逆方向に摺動させるが、本体係止部１１とアプローチ係止部２１は、逆方向には全く係止されていないため自然に離れ、トンネル全体の長さを短くすることができる。
【００１９】
更に図１乃至図３から図４のように２つのアプローチトンネル２，２を互いに離してトンネル全体の長さを長くした状態で、２つのアプローチトンネル２，２の出入口２０、２０の両側面と上面の端を内側に折り曲げて補強部５を形成する（図５乃至図７参照）。この補強部５の形成によって出入口２０の強度が補強される。
【産業上の利用可能性】
【００２０】
この発明は、ネズミ、ゴキブリ等の食品を食害したり、疫病を媒介したりする可能性のある害獣害虫等の生物が出没する食品販売店、料理屋、また家庭のダイニングキッチンなどに置いて利用する可能性が高い。
【図面の簡単な説明】
【００２１】
【図１】この発明の１つの実施形態を示す害獣害虫等の生物捕獲装置の平面図でありアプローチトンネルをトンネル本体に重ね合わせた状態の平面図
【図２】同じく正面図
【図３】同じく側面図
【図４】同じくトンネル本体から両側のアプローチトンネルを引き出してトンネルを長くした状態の平面図
【図５】図４から入り口の上部角部を折り返した状態の平面図
【図６】同じく図５の正面図
【図７】同じく図５の側面図
【図８】同じくアプローチトンネルとトンネル本体との係止状態を示す拡大部分説明図
【符号の説明】
【００２２】
１  トンネル本体
１０  開口部
１１  本体係止部
２  アプローチトンネル
２０  出入口
２１  アプローチ係止部  
３  粘着剤部  
４  合成樹脂性誘引物（スペーサー）
５  補強部 
【図１】
2010057369.tif 000003
【図２】
2010057369.tif 000004
【図３】
2010057369.tif 000005
【図４】
2010057369.tif 000006
【図５】
2010057369.tif 000007
【図６】
2010057369.tif 000008
【図７】
2010057369.tif 000009
【図８】
2010057369.tif 000010